(57)【特許請求の範囲】
【請求項１】
アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、
前記アンテナケースには、前記いずれか一方の取付状態において底面となる箇所および他方の取付状態において底面となる箇所にそれぞれ少なくとも一つの、雨水の直進的な浸入を防止する屈曲孔である水抜き孔を設けるとともに、
前記アンテナケースが、背面または上面を開口したケース本体と、該ケース本体の開口周縁部に接合して装着される蓋板とからなり、
前記ケース本体の内壁面にネジ孔部材を開口縁より内部に向けて形成する一方、前記蓋板の、前記ネジ孔部材のネジ孔に対応する位置に取付ネジの挿通孔を穿設し、
前記蓋板に、前記挿通孔のボス座の一部を切り欠いて内部に連通する水抜き孔を形成するとともに、前記ケース本体の前記ネジ孔部材の周辺に、前記水抜き孔に向けて底面を下向きに傾斜している貯留部を形成していることを特徴とするアンテナケースの水抜き構造。
【請求項２】
前記ケース本体の開口縁内端より前記蓋板の接合用周壁を、前記蓋板の開口縁外端より前記接合用周壁に対向する接合用周壁を相互に嵌合可能にそれぞれ立設し、
前記水抜き孔は、前記ケース本体側の接合用周壁を乗り越えて内部に連通するように形成されていることを特徴とする請求項２記載のアンテナケースの水抜き構造。
【請求項３】
アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、
前記アンテナケースには、前記いずれか一方の取付状態において底面となる箇所および他方の取付状態において底面となる箇所にそれぞれ少なくとも一つの水抜き孔を設けるとともに、
前記水抜き孔は、雨水の直進的な浸入を防止する屈曲孔であって、属するケース側面がアンテナケースの取付状態で鉛直方向に配置されたとき、Ｌ字状の一方の孔部が側方に延びてその開口端がケース外方に臨み、Ｌ字状の他方の孔部がケース内部で上向きに延びてその開口端がケース内部に臨む形態のＬ字状に形成されていることを特徴とするアンテナケースの水抜き構造。
【請求項４】
アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、
前記アンテナケースには、前記いずれか一方の取付状態において底面となる箇所および他方の取付状態において底面となる箇所にそれぞれ少なくとも一つの水抜き孔を設けるとともに、
前記水抜き孔は、雨水の直進的な浸入を防止する屈曲孔であって、属するケース側面がアンテナケースの取付状態で鉛直方向に配置されたとき、逆Ｌ字状の一方の孔部が側方に延びてその開口端がケース内部に臨み、逆Ｌ字状の他方の孔部がケース外面部で下向きに延びてその開口端がケース外部に臨む形態の逆Ｌ字状に形成されていることを特徴とするアンテナケースの水抜き構造。
【請求項５】
アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、
前記アンテナケースには、前記いずれか一方の取付状態において底面となる箇所および他方の取付状態において底面となる箇所にそれぞれ少なくとも一つの水抜き孔を設けるとともに、
前記水抜き孔は、雨水の直進的な浸入を防止する屈曲孔であって、属するケース側面がアンテナケースの取付状態で鉛直方向に配置されたとき、略Ｎ字状の中間孔部が周壁を水平方向に貫くとともに、略Ｎ字状の一方の孔部がケース内部で上方に延びて開口端がケース内部に臨み、略Ｎ字状の他方の孔部がケース外部寄りで下方に延びて開口端がケース外部に臨む形態の略Ｎ字状の屈曲孔に形成されていることを特徴とするアンテナケースの水抜き構造。
【発明の詳細な説明】
【技術分野】
【０００１】
この発明は、屋外用アンテナの防雨および防沫型のアンテナケースの水抜き構造に関するもので、詳しくは、アンテナ素子が内蔵され、例えば地上デジタルテレビ放送用のＵＨＦテレビ電波の水平偏波あるいは垂直偏波のいずれにも対応でき、かつ電波の到来方向に応じてアンテナの向きを変更できるように、ベランダや屋上などに鉛直方向に立設されるマスト（支柱）に対し取付金具を介して取り付けて使用されるアンテナケースの水抜き構造に関する。
【背景技術】
【０００２】
従来、屋外で用いられる一般的なテレビ放送受信用アンテナ１００としては、例えば、図９に示すようにマスト部材１１１の先端部に取付具１１２を介して取り付けられるもので、同アンテナ１００は、アンテナ素子や回路基板（図示を省略）などを樹脂製のアンテナケース１０１に内蔵する防雨および防沫型構造に構成して実用化されている。
【０００３】
また通常、それらのアンテナケース１０１は、前側ケース部分１０２と後側ケース部分１０３とを相互に接合して一体化されているが、その接合箇所には、雨水などの侵入を防止するためのパッキン等のシール部材は使用されていない。そして、その接合箇所から内部に浸入した水は、底部に設けた水抜き孔１０４から外部へ排水される構造となっている。なお、図中の符号１０５は図示を省略した回路基板に接続される同軸ケーブルである。
【０００４】
ところで、上記アンテナケース１０１に設けられている水抜き孔１０４は、直線状の単純な貫通孔に形成されているので、その水抜き孔１０４がアンテナケース１０１の底部に配置されたときには、ケース内に浸入した水は水抜き孔からスムーズに排出されるが、本発明の対象とするところの、垂直方向か水平方向かのいずれかの方向に適宜向きを変更して使用されるアンテナケースにあっては、その水抜き孔がアンテナケースの側面（鉛直方向の向きで）に位置する場合には、水抜き孔から雨水等が内部に浸入するおそれがある。
【０００５】
そこで、図１０に示すように、アンテナケース２００内において、部品室２０１と、水抜き孔２０３を通じて外部に開放する空気室２０２とに区画壁２０４によって区画し、空気室２０２内を空気流および水が通過する際に、それらの通過を阻止可能な複数の仕切壁部２０５を設けることで、暴風雨時などにおいて雨水や霧状の水滴を伴って空気流が水抜き孔からケース内の、特にアンテナ素子、電子部品や回路基板を配している箇所まで浸入することを防止し、浸水による故障や一時的な動作不能を回避する構造のアンテナケースが提案されている（例えば、特許文献１参照）。
【特許文献１】特開２００３−１１０３２７号公報（第２〜６頁および図３〜４）
【発明の開示】
【発明が解決しようとする課題】
【０００６】
しかしながら、上記公報に記載の先行技術に係るアンテナケースについても、つぎのような点で改良すべき課題が残されている。すなわち、鉛直方向に立設されたマストに対し、鉛直方向と水平方向との二方向のいずれかの方向に選択的に方向を変えて取り付けられるアンテナケースにおいて、水抜き孔が底面側となる箇所に配置されるいずれか一方の取付状態でアンテナケース内に浸入する水は、複数の仕切壁部があっても無理なく排水されるが、他方の取付状態では、その水抜き孔は鉛直方向となるケースの側面に配置されることになるので、雨水等が水抜き孔からケース内に浸入しやすく、またケース内にいったん浸入した水は、仕切壁部で邪魔されて外部に排水されずに滞留し、結果としてケース内に配設された電子部品や回路基板等を濡らして、故障や動作不能を招くことになる。
【０００７】
また、上記のような事態を防ぐために、鉛直方向と水平方向とのいずれか一方の取付状態において底面に配置され、かつ他方の取付状態において側面に配置されるケースの二面にそれぞれに水抜き孔を設けることで、つまり二方向の取付状態のそれぞれにおいて底面側に水抜き孔が位置するようにして、ケース内に浸入した水を底面の水抜き孔から排水させる構造とすることが考えられる。
しかし、従来のように排水という観点のみから構成された水抜き孔を、鉛直方向と水平方向との二方向のうち一方の取付状態でケース側面に位置する箇所に設けると、鉛直方向に配置されて側方を向くから、その水抜き孔からは雨水がケース内に簡単に浸入し易いという問題点がある。
【０００８】
すなわち、従来の前者のアンテナケースにおける構成の水抜き孔は、ケース側面に位置すると、風雨時において降雨が直接に水抜き孔からケース内に浸入しないときでも、ケースの外表面を伝わって流れ落ちる雨水や水滴が水抜き孔からケース内に浸入し易い。一方、従来の後者のアンテナケースでは、区画壁によって部品室を区画しているものの、その区画壁が鉛直方向に配置されると本来の機能を失い、前者の場合と同様に、雨水や水滴が水抜き孔と空気室を経てケース内に浸入するおそれがある。
【０００９】
一方、上記のような問題を根本的に解決するために、アンテナケースを完全な密閉構造にする方法があるが、完全な密閉構造とするにはパッキン等のシール部材を多用しなければならず、結果としてアンテナケースの構造が複雑になって、製造が複雑になり、大型化して軽量化が妨げられ、コストアップ等の問題が発生する。
【００１０】
本発明は上述の点に鑑みてなされたもので、アンテナ素子が内蔵され、地上デジタルテレビ放送用のＵＨＦテレビ電波などの水平偏波あるいは垂直偏波のいずれにも対応でき、かつ電波の到来方向に応じてアンテナの向きを変更できるように鉛直方向に立設されるマスト（支柱）に対し取付金具を介して取り付けて使用されるアンテナケースにおいて、鉛直方向および水平方向のいずれの取付状態であっても、雨水が水抜き孔からケース内に浸入するのを防止でき、またケース内に浸入した水は円滑に排水でき、さらに浸入した水がアンテナ素子や回路基板などと接触するまで滞留することがなく、しかも構造が簡易で製造が容易なアンテナケースの水抜き構造を提供することを目的としている。
【課題を解決するための手段】
【００１１】
上記の目的を達成するために、請求項１に係る本発明のアンテナケースの水抜き構造は、アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、前記アンテナケースには、前記いずれか一方の取付状態において底面となる箇所および他方の取付状態において底面となる箇所にそれぞれ少なくとも一つの、雨水の直進的な浸入を防止する屈曲孔（屈曲路）である水抜き孔を設けるとともに、前記アンテナケースが、背面または上面を開口したケース本体と、該ケース本体の開口周縁部に接合して装着される蓋板とからなり、前記ケース本体の内壁面にネジ孔部材を開口縁より内部に向けて形成する一方、前記蓋板の、前記ネジ孔部材のネジ孔に対応する位置に取付ネジの挿通孔を穿設し、前記蓋板に、前記挿通孔のボス座の一部を切り欠いて内部に連通する水抜き孔を形成するとともに、前記ケース本体の前記ネジ孔部材の周辺に、前記水抜き孔に向けて底面を下向きに傾斜している貯留部を形成していることを特徴とする。
【００１２】
上記構成の本発明のアンテナケースの水抜き構造によれば、水平方向または鉛直方向それぞれの取付状態において底面となる箇所に、それぞれ少なくとも一つの水抜き孔を設けたので、アンテナケースが水平方向ないしは鉛直方向いずれの取付状態にあっても、その底面に存在する水抜き孔を通して、ケース内に浸入する水を円滑に排水できる。また水抜き孔は、雨水の直進的な浸入を防止する屈曲孔（屈曲路）に形成したので、鉛直方向となるケース側面に位置したときでも、風雨時等にケースの外表面を伝わって流れる雨水や水滴が、直進的にケース内に浸入することを防止できる。したがって、鉛直方向または水平方向のいずれの取付状態であっても、雨水が水抜き孔からケース内に浸入するのを防止でき、またケース内に浸入する水は底面側に配置される水抜き孔を通して円滑に排水でき、
浸入した水がアンテナ素子や回路基板などに接触する量まで滞留することを確実に防止できる。
【００１４】
また、例えば、ケース本体と蓋板の一方の接合縁部にあらかじめ屈曲した溝状の孔部を形成し、その上に他方の接合縁部を被せて接合することにより、立体的な屈曲孔（屈曲路）とすることができ、水抜き孔の製作が容易となる。またケース本体および蓋板を樹脂製としたので、軽量で、かつ防水性および耐食性に優れて屋外での使用に適し、製作も容易で安価に製造できる。
さらに、ケース本体の主要壁の厚みを薄肉にして軽量化を図っても、ねじ孔部材のネジ孔に対し取付ネジによって強く締め付けてケース本体と蓋板とを接合できるから、両者の接合箇所からの水の浸入を最小限に抑えることができる。
それに加えて、前記ケース本体内壁の前記ネジ孔部材の周辺を貯水部に形成し、該貯水部の底面を前記開口縁に向けて下向きに傾斜させているので、ケース内に浸入した水が内壁面を伝わって下面（底面）側となる内壁面へ、そこでさらに貯水部に流れ込み、貯水部の底面に沿って蓋板との開口縁側へ流れたのち、水抜き孔に導き円滑に排水することができる。
【００１５】
請求項２に記載のように、前記ケース本体の開口縁内端より前記蓋板の接合用周壁を、前記蓋板の開口縁外端より前記接合用周壁に対向する接合用周壁を相互に嵌合可能にそれぞれ立設し、前記水抜き孔は、前記ケース本体側の接合用周壁を乗り越えて内部（ケース本体内）に連通するように形成することができる。
【００１６】
請求項２記載のアンテナケースの水抜き構造によれば、水抜き孔は、取付ネジによる締め付け力に対応するため比較的厚肉となる蓋板側の接合用周壁を切り欠いて形成できるので、特別の張出部や区画壁部などを付加することなく水抜き孔を形成でき、したがって防水機能の向上と軽量化とが同時に図れる。
【００１９】
請求項３の発明は、アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、前記アンテナケースには、前記いずれか一方の取付状態において底面となる箇所および他方の取付状態において底面となる箇所にそれぞれ少なくとも一つの水抜き孔を設けるとともに、前記水抜き孔は、雨水の直進的な浸入を防止する屈曲孔（屈曲路）であって、（この水抜き孔が）属する（設けられた）ケース側面がアンテナケースの取付状態で鉛直方向に配置されたとき、Ｌ字状の一方の孔部が側方に延びてその開口端がケース外方に臨み、Ｌ字状の他方の孔部がケース内部で上向きに延びてその開口端がケース内部に臨む形態のＬ字状に形成されていることを特徴とする。
【００２０】
請求項３記載のアンテナケースの水抜き構造によれば、水抜き孔がＬ字状の屈曲路に形成されているので、それが属するケース側面が鉛直方向に配置されたとき、例えば風雨時においてケースの外表面を伝わって流れる雨水や水滴が水抜き孔の入り口まで導かれたうえ、風圧を受けて水抜き孔の内方へ押し込まれようとしても、ケース内には直進的に浸入できない。つまり水抜き孔の入り口から押し込まれようとする雨水等は、ケース内部で上方に延びた孔部を重力に逆らって上昇し、その孔部を満たすに十分な量となるまで押し込まれない限り、ケース内には浸入できない。しかも風圧の影響が中断すると、重力によって下降して入り口へ戻って流出するので、ケース内への浸入が効果的に防止される。一方、この水抜き孔は、属するケース側面が９０°回転して底面側に配置されると、Ｌ字状の水抜き孔が９０°横向きに展開した状態となり、一方の孔部の開口端が下向きにケース外部に臨み、他方の端部がケース内部で横向きに延びて開口端がケース内部に臨んで開口するので、ケース内に浸入した水が円滑に排水される。
【００２１】
請求項４の発明は、アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、前記アンテナケースには、前記いずれか一方の取付状態において底面となる箇所および他方の取付状態において底面となる箇所にそれぞれ少なくとも一つの水抜き孔を設けるとともに、前記水抜き孔は、雨水の直進的な浸入を防止する屈曲孔（屈曲路）であって、（この水抜き孔が）属する（設けられた）ケース側面部がアンテナケースの取付状態で鉛直方向に配置されたとき、逆Ｌ字状の一方の孔部が側方に延びてその開口端がケース内部に臨み、逆Ｌ字状の他方の孔部がケース外部寄りで下向きに延びてその開口端がケース外部に臨む形態の逆Ｌ字状に形成されることを特徴とする。
【００２２】
請求項４記載のアンテナケースの水抜き構造によれば、請求項３記載の水抜き孔構造と同様に、側面に位置する水抜き孔からのケース内への浸入が効果的に防止されるとともに、ケース底面に位置する水抜き孔から内部に浸入した水が円滑に排水される。
【００２３】
請求項５の発明は、アンテナ素子が内蔵され、鉛直方向に支持されたマストに対し水平偏波および垂直偏波に対応して水平または鉛直のいずれの方向にも取付可能な取付金具を備えたアンテナケースの水抜き構造であって、前記アンテナケースには、前記いずれか一方の取付状態において底面となる箇所および他方の取付状態において底面となる箇所にそれぞれ少なくとも一つの水抜き孔を設けるとともに、前記水抜き孔は、雨水の直進的な浸入を防止する屈曲孔（屈曲路）であって、（この水抜き孔が）属する（設けられた）ケース側面がアンテナケースの取付状態で鉛直方向に配置されたとき、略Ｎ字状の中間孔部が周壁を水平方向に貫くとともに、略Ｎ字状の一方の孔部がケース内部寄りで上方に延びて開口端がケース内部に臨み、略Ｎ字状の他方の孔部がケース外部寄りで下方に延びて開口端がケース外部に臨む形態の略Ｎ字状に形成されることを特徴とする。
【００２４】
請求項５記載のアンテナケースの水抜き構造によれば、水抜き孔の一方の開口端がケース内部に臨む上向きの孔部で、他方の開口端がケース外部に臨む下向きの孔部とし、かつ周壁を貫く中間孔部を挟んでケース内部・外部に配置されるようにしたので、上記のＬ字状および逆Ｌ字状の屈曲孔からなる水抜き孔のそれぞれの機能を併せもち、暴風雨時等においても、ケース内への水の浸入がより確実に防止できるとともに、ケース内に浸入した水を円滑に排水することができる。
【発明の効果】
【００２５】
本発明に係るアンテナケースの水抜き構造には、つぎのような優れた効果がある。
すなわち、アンテナ素子が内蔵され、地上デジタルテレビ放送用のＵＨＦテレビ電波などの水平偏波あるいは垂直偏波のいずれにも対応でき、かつ電波の到来方向に応じてアンテナの向きを変更できるように鉛直方向に立設されるマストに取付金具を介して取り付けて使用されるアンテナケースについて、鉛直方向および水平方向のいずれの取付状態であっても、雨水が水抜き孔からケース内に浸入するのを防止でき、またケース内に浸入した水は円滑に排水でき、浸入した水がアンテナ素子や回路基板などに接触するまでの水量は滞留することがなく、浸水よる故障や動作不能等の障害の発生を確実に防止でき、鉛直方向と水平方向との二方向における取付状態での防雨および防沫性能を発揮でき、しかも構造が簡易で製造が容易である。
【発明を実施するための最良の形態】
【００２６】
以下、本発明に係るアンテナケースの水抜き構造を実施するための最良の形態を図面に基づいて説明する。
【００２７】
図１〜図４は本発明の実施例に係るアンテナケースの概要を示すもので、図１（ａ）は
側面図、図１（ｂ）は背面図、図１（ｃ）は底面図、図２はアンテナケースの本体と蓋板とを分解した状態を示す斜視図で、内蔵されるアンテナ素子や回路基板を省略して表している。図３（ａ）は蓋板を内側から見た一部を拡大した図面で、蓋板の長辺側が底面になった状態を表し、図３（ｂ）は同蓋板の短辺側が底面になった状態を表している。図３（ａ）は要部の構成を示す図２の矢視部位の内面図、図３（ｂ）は取付方向を変えた場合の同要部の機能を示す図２の矢視側面図、図４（ａ）は一部を切り欠いて内部の一部構成を示す斜視正面図、図４（ｂ）は図４（ａ）のイ部拡大図である。また、図５は本例アンテナケースの取付状態を示し、図５（ａ）は水平方向の取付状態を示す斜視図、図５（ｂ）は鉛直方向の取付状態を示す斜視図である。
【００２８】
まず、図１、図２および図５により、本例のアンテナケース１の全体的な構成と、使用態様について説明する。本例のアンテナケース１は、図１（ａ）〜図１（ｃ）に示すように、横長の立方体状で、正面へ向け漸次傾斜した流線形状とされ、かつ背面を開口させた樹脂製のケース本体２と、そのケース本体２の開口部２Ａに接合して装着される長方形状で、同ケース本体２の開口方向（背面方向）に向けて立設された周壁部３ａを有する樹脂製の蓋板３と、この蓋板３の外面中央部に取着された取付金具１０とを主要構成部材として備えている。なお、蓋板３の外面側に設けられる取付金具１０は、後述のマストＭに対して、９０度方向の異なる二方向（鉛直方向と水平方向）に取付可能な構成とされている。
【００２９】
また、蓋板３の内面には、図２に示すように、格子状の多数のリブ３ｃおよび複数のボス部３ｄが一体に突設されている。そして、これらのリブ３ｃおよびボス部３ｄに、ここでは図示を省略した回路基板やアンテナ素子を取り付けてケース本体２に内蔵し、かつ内蔵される回路基板には、図１（ｃ）に示すアンテナケース１の底面に設けられた接続端子１１を介して、映像や音声信号を伝える入出力用同軸ケーブル（図示を省略）が接続される。
【００３０】
そして、図示を省略したアンテナ素子などが内蔵されるアンテナケース１は、受信する水平偏波あるいは垂直偏波に対応し、図５（ａ）に示すように取付金具１０を介して、例えばベランダに鉛直方向に立設されたマストＭに水平方向に、あるいは図５（ｂ）に示すように鉛直方向に取り付けて屋外で使用される。
【００３１】
また、図２に示すように、ケース本体２の開口縁２Ｂより内部に向けて、複数のネジ孔部材２ａを一体に形成している。また、そのネジ孔部材２ａの中心軸部に、取付ネジ（図示せず）のネジ孔２ｅを穿設する一方、ネジ孔部材２ａに対応する位置の蓋板３の周壁部３ａに、取付ネジ（図示せず）の挿通孔３ｅを穿設した円板状のボス座３ｂを、ケース本体２のネジ孔部材２ａと相互に当接可能に設けている。この接合構造により、ケース本体2の主要部分をなす壁厚を薄肉に形成しても、取付ネジ（図示を省略）によって強く締め
付けてケース本体２と蓋板３とを一体に接合できるから、両者の接合箇所からの水の浸入を最小限に抑えられる。
【００３２】
そして、図１（ａ）〜図１（ｃ）および図２に示すように、蓋板３の、ケース本体２の開口部２Ａ内に接合される周壁部３ａの、二つのうちの一方の短辺側に１つの水抜き孔４を、また二つのうちの一方の長辺側に複数（４つ）の水抜き孔５をそれぞれ設けている。
【００３３】
つまり、図５（ａ）に示される水平方向の取付状態において底面側となる箇所に４つの水抜き孔５を、図５（ｂ）に示される鉛直方向の取付状態おいて底面側となる箇所に１つの水抜き孔４をそれぞれ設けている。これによって、アンテナケース１が鉛直方向および水平方向のいずれの取付状態であっても、アンテナケース１内に浸入した水を円滑に排水
できるようにしている。また、長辺側には上記したように４つの水抜き孔５を設けることで、万一、アンテナケース１の取付状態が水平状態あるいは鉛直状態からわずかに一方に傾斜した場合でも、水が被内蔵部材（アンテナ素子や回路基板など）に接触するまで滞留しないようにしている。
【００３４】
また、蓋板３の短辺側に設ける水抜き孔４は、アンテナケース１が水平方向に取り付けられて、同短辺側が鉛直方向に配置されたとき、図３（ａ）に示すように、Ｌ字状の一方の孔部４ａが側方（水平方向）に延びて開口端４Ａがアンテナケース１の外部に臨むように開口し、他方の孔部４ｂがアンテナケース１の内部で上方に延びて開口端４Ｂがアンテナケース１内部に臨むように開口する形態のＬ字状の屈曲孔に形成されている。
【００３５】
そして、このように形成された水抜き孔４は、蓋板３の短辺側が鉛直方向に向いてケース１の側面に配置されたとき、例えば風雨時において、図３（ａ）の矢印（点線）で示すように、アンテナケース１の外表面を伝わって流れる雨水や水滴が、水抜き孔４の入り口４Ａからアンテナケース１内に浸入するのを上向きの孔部４ｂにより防止できる。
【００３６】
つまり、風雨時に風圧によって、この水抜き孔４の入り口４Ａから雨水が押し込まれても、上向きの孔部４ｂがあるためにアンテナケース１内には直進的に浸入できない。一方、この水抜き孔４は、図３（ｂ）に示すように、蓋板３の短辺側が底面に配置されて水平方向とされると、横転したＬ字状となり、一方の孔部４ａの開口端４Ａが下向きにアンテナケース１の外向きに開口し、他方の孔部４ｂの開口端４Ｂがアンテナケース１の内部に向け横向きに開口するので、アンテナケース１内に浸入した水を円滑に排水することができる。
【００３７】
一方、蓋板３の長辺側に設けられる略Ｌ字状の水抜き孔５は、図３（ａ）および図３（ｂ）に示すように、蓋板３のボス座３ｂの一部を切り欠いて形成される。この水抜き孔５は、アンテナケース１が水平方向に取り付けられて、長辺側が鉛直方向に配置されて側面になったときには、図３（ｂ）に示すように、同ボス座３ｂにおいて一方の孔部５ａが上方に延びて下端開口５Ａがアンテナケース１の外部に臨んで外向きに開口し、他方の孔部５ｂが横向きになってその上端隅角部が、図３（ａ）および図３（ｂ）中に一点鎖線で示すケース本体２のネジ孔部材２ａの周辺部の一部周壁部内面を越えることで、略三角形状に狭窄されて内端開口５Ｂがアンテナケース１内部に向けて（臨んで）開口する屈曲孔（屈曲路）に形成されている。
【００３８】
また、図４（ａ）および図４（ｂ）に示すように、ケース本体２の内壁面に形成されたネジ孔部材２ａの両側周辺を断面Ｖ溝状の貯水部２ｂに形成し、その貯水部２ｂの底面をケース本体２の略三角形状の開口縁に向けて下向きに傾斜させている。
【００３９】
したがって、このように形成された水抜き孔５は、蓋板３の長辺側が鉛直方向に配置されて側面になったとき、例えば風雨時に図３（ｂ）に矢印（点線）で示すように、アンテナケース１の外表面を伝わって流れる雨水や水滴が、水抜き孔５の入り口５Ａからアンテナケース１内に浸入することを、上記の水抜き孔４と同様の作用のもとに効果的に防止できる。一方、この水抜き孔５は、図３（ａ）に示すように、蓋板３の短辺側が水平方向に配置され底面にくると、一方の孔部５ｂが上向きとなってアンテナケース１の内部に臨んで開口端５Ｂが開口し、他方の孔部５ａがアンテナケース１の外方へ横方向（側方）に延びて開口端５Ａがアンテナケース１の外部に臨むように開口する。これらに加えてケース本体２内に設けられた貯水部２ｂの底面を開口縁に向けて下向きに傾斜させているので、アンテナケース１内に浸入する水を、円滑かつ確実に排水することができる。
【００４０】
上記に本発明のアンテナケースの水抜き構造の実施例を示したが、つぎのように実施す
ることもできる。
【００４１】
別の実施例を図６（ａ）および図６（ｂ）に示すように、アンテナケース１の蓋板３の短辺側および長辺側に逆Ｌ字状の水抜き孔６を設け、その水抜き孔６は、属する蓋板３の短辺側もしくは長辺側が鉛直方向に配置されて側面にきたとき、一方の孔部６ａは下向きに延び、その開口端６Ａが外部に臨みかつ下向きになり、他方の孔部６ｂが横方向に延びて開口端６Ｂがアンテナケース１内部に臨むように開口する形態の逆Ｌ字状の屈曲孔に形成してもよい。また、本例の水抜き孔６は水平方向に配置されて底面にきたときには、一方の孔部６ａがやや下向きに傾斜するように形成して、排水が円滑に行われるようにしている。
【００４２】
このような水抜き孔６では、例えば風雨時において、図６（ａ）および図６（ｂ）において点線の矢印で示すように、アンテナケース１の外表面を伝わって流れる雨水や水滴が、水抜き孔６の入り口６Ａからアンテナケース１内に向けて浸入することを防止できる。
【００４３】
つまり、アンテナケース１の外表面を流れる雨水や水滴が、風圧によって、この水抜き孔６の入り口６Ａから押し込まれても、持続的な風圧を受けて逆流・上昇し、上方に延びた孔部６ａの上端に達しない限り、アンテナケース１内には浸入できない。上記したとおり、この水抜き孔６は蓋板３の短辺側もしくは長辺側が水平方向に配置され底面にくると横転した逆Ｌ字状となり、一方の孔部６ａがアンテナケース１の外部に向けてやや下向きに延びて開口端６Ａが外部に向け開口するので、アンテナケース１内に浸入した水が円滑に排水される。
【００４４】
また、他の実施例を図７（ａ）および図７（ｂ）に示すように、アンテナケース１の蓋板３の短辺側および長辺側に共通する形状の水抜き孔７をそれぞれ設け、水抜き孔７は、蓋板３の短辺側もしくは長辺側が鉛直方向に配置されて側面にきたとき、中間の孔部７ｃが壁面を水平方向に貫くとともに、一方の孔部７ｂがアンテナケース１の内部で上方に延びて開口端７Ｂがアンテナケース１内に臨んで開口し、他方の孔部７ａがアンテナケース１の外部に向けて下方に延び、開口端７Ａが外部に向けて開口する形態の略Ｎ字状の屈曲孔（屈曲路）に形成されていてもよい。
【００４５】
このような水抜き孔７では、前述のＬ字状の水抜き孔４および逆Ｌ字状の水抜き孔６それぞれの機能を併せて備え、暴風雨時等においても、アンテナケース１内への水の浸入をより確実に防止できる。一方、この水抜き孔７は、蓋板３の短辺側もしくは長辺側が水平方向に配置され底面にくると横転した略Ｎ字状となって、一方の孔部７ｂがアンテナケース１の内部で水平方向に延びて開口端７Ｂがアンテナケース１内に開口し、中間孔部７ｃが壁面を上下方向に貫き、他方の孔部７ａがアンテナケース１の外部側で横方向に延びて開口端７Ａが外向きに開口するので、アンテナケース１内に浸入した水を円滑に排水することができる。また、この水抜き孔７も、アンテナケース１の外部側で横方向に延びる孔部７ａに、排水の流れを促進する下り勾配をもたせている。
【００４６】
図８はさらに別の実施例を示すもので、図８（ａ）〜（ｃ）のようにケース本体２の開口縁より内部に向けてネジ孔部材２ａを形成するとともに、開口周縁内端より上面あるいは背面に向けて蓋板３との接合用周壁２ｆを立設する。一方、図８（ｄ）〜（ｆ）のように蓋板３の、ケース本体２のネジ孔部材２ａの中心軸部に設けたネジ孔２ｅの入り口に対応する位置に取付ネジ（図示せず）の挿通孔３ｅを穿設するとともに、蓋板３の開口周縁の外端からもケース本体２側の周壁２ｆに対向する接合用周壁３ｆを相互に嵌合可能に立設する。そして、蓋板３側の挿通孔３ｅ付近のボス座３ｂの一部を切り欠いてケース本体２側の周壁２ｆを乗り越えて内部（ケース本体２内）に連通する形態の水抜き孔８に形成することができる。
【００４７】
なお、以上に述べた実施例では、各水抜き孔４〜８をアンテナケース１の蓋板３に設けたが、これはケース本体２の開口縁部もしくは蓋板３との双方に設けることができることは言うまでもない。また水抜き孔は、雨水の直進的な浸入を防止する屈曲孔に形成すると言う本発明の要旨を逸脱しない限り、アンテナケースの機能上の制約による形状に対応して、前述の各形態の屈曲孔もしくは他の形態の屈曲孔を選択的にまたは併用して使用することができる。
【図面の簡単な説明】
【００４８】
【図１】本発明の実施例に係るアンテナケースの概要を示すもので、図１（ａ）は側面図、図１（ｂ）は背面図、図１（ｃ）は底面図である。
【図２】アンテナケースの本体と蓋板とを分解した状態を示す斜視図で、内蔵されるアンテナ素子や回路基板を省略して表している。
【図３】図１の実施例に係る水抜き構造を示す蓋板３を内側から見た一部を拡大した図面で、図３（ａ）は蓋板の長辺側が底面になった状態を表し、図３（ｂ）は蓋板の短辺側が底面になった状態を表している。
【図４】図４（ａ）は一部を切り欠いて内部の一部構成を示す斜視正面図、図４（ｂ）は図４（ａ）のイ部拡大図である。
【図５】図５は図１の実施例に係るアンテナケースの取付状態を示し、図５（ａ）は水平方向の取付状態を示す斜視図、図５（ｂ）は鉛直方向の取付状態を示す斜視図である
【図６】別の実施例に係る水抜き構造を示す蓋板３を内側から見た一部を拡大した図面で、図６（ａ）は蓋板の長辺側が側面になった状態を表し、図６（ｂ）は蓋板の短辺側が底面になった状態を表している。
【図７】さらに別の実施例に係る水抜き構造を示す蓋板３を内側から見た一部を拡大した図面で、図７（ａ）は蓋板の長辺側が側面になった状態を表し、図７（ｂ）は蓋板の短辺側が底面になった状態を表している。
【図８】本発明の水抜き構造のさらに別の実施例を示す図面で、図８（ａ）はケース本体の開口縁の一部を背面側のやや上方から見た斜視図、図８（ｂ）は図８（ａ）のＡ−Ａ線拡大断面図、図８（ｃ）は図８（ａ）のＢ−Ｂ線拡大断面図である。図８（ｄ）は蓋板の開口縁の一部を正面側のやや上方から見た斜視図、図８（ｅ）は図８（ｄ）のＣ−Ｃ線拡大断面図、図８（ｆ）は図８（ｄ）のＤ−Ｄ線拡大断面図である。
【図９】従来のアンテナケースの一例を示す斜視図である。
【図１０】従来の別のアンテナケースの概要構成を示す正面図である。
【符号の説明】
【００４９】
１          アンテナケース
２          ケース本体
２ａ        ネジ孔部材
２ｂ        貯水部
２ｆ        接合用周壁
３          蓋板
３ａ        周壁部
３ｂ        ボス座
３ｃ        リブ
３ｄ        ボス
３ｆ        接合用周壁
４〜８      水抜き孔
１０        取付金具
１１        接続端子
Ｍ          マスト
１００      テレビ放送受信用アンテナ
１０１      アンテナケース
１０２      前側ケース部分
１０３      後側ケース部分
１０４      水抜き孔
１０５      同軸ケーブル
１１１      マスト部材
１１２      取付具
２００      アンテナケース
２０１      部品室
２０２      空気室
２０３      水抜き孔
２０４      区画壁
２０５      仕切壁部
【図１】
0004610448.tif 000002
【図２】
0004610448.tif 000003
【図３】
0004610448.tif 000004
【図４】
0004610448.tif 000005
【図５】
0004610448.tif 000006
【図６】
0004610448.tif 000007
【図７】
0004610448.tif 000008
【図８】
0004610448.tif 000009
【図９】
0004610448.tif 000010
【図１０】
0004610448.tif 000011